(57)【要約】【課題】磁気ディスクを破壊するための仕組みが簡素であり、廉価な部品構成とすることができる磁気ディスク装置を提供する。【解決手段】磁気ディスク装置は、磁気ディスク１を回転させるスピンドルモータと、磁気ディスク１に対して情報を読み書きするための磁気ヘッドと、磁気ヘッドが形成され、回転中の磁気ディスク１の表面上に浮上するスライダ３１と、スライダ３１を支持し、磁気ディスク１の表面上において揺動させられるスイングアームと、磁気ディスク１の回転停止とともにスイングアームが磁気ディスク１の外周側に揺動させられるのに伴い、スライダ３１を磁気デュスク１の表面上から退避させるランプ４と、ランプ４上において退避した状態にあるスライダ３１を打撃するための打撃機構５とを備えている。【選択図】  図２
2010079967.tif 000002
【特許請求の範囲】
【請求項１】
磁気ディスクと、
上記磁気ディスクを回転させるスピンドルモータと、
上記磁気ディスクに対して情報を読み書きするための磁気ヘッドと、
上記磁気ヘッドが形成され、回転中の上記磁気ディスクの表面上に浮上するスライダと、
上記スライダを支持し、上記磁気ディスクの表面上において揺動させられるスイングアームと、
上記磁気ディスクの回転停止とともに上記スイングアームが上記磁気ディスクの外周側に揺動させられるのに伴い、上記スライダを上記磁気デュスクの表面上から退避させるランプと、
上記ランプ上において退避した状態にある上記スライダを打撃するための打撃機構と、
を備えていることを特徴とする、磁気ディスク装置。
【請求項２】
上記打撃機構は、上記スライダに向けて射出される打撃部材と、この打撃部材を上記スライダに向けて弾性的に付勢する弾性部材と、通常の使用状態では上記打撃部材を係止するとともに、所定の装置装着箇所からの取り外し操作に応じて上記打撃部材との係止状態が解除される第１のストッパ機構とを有している、請求項１に記載の磁気ディスク装置。
【請求項３】
上記打撃機構は、上記スライダに向けて射出される打撃部材と、この打撃部材を上記スライダに向けて弾性的に付勢する弾性部材と、通常の使用状態では上記打撃部材を係止するとともに、人為的な選択操作に応じて上記打撃部材との係止状態が解除される第２のストッパ機構とを有している、請求項１に記載の磁気ディスク装置。
【請求項４】
上記スライダは、上記スイングアームにサスペンションを介して支持されており、上記サスペンションには、上記スライダが上記打撃機構によって脱落すると上記磁気ディスクの表面に向けて突出するように突起部が設けられている、請求項１ないし３のいずれかに記載の磁気ディスク装置。
【発明の詳細な説明】
【技術分野】
【０００１】
本発明は、情報漏洩を防止する機能を備えた磁気ディスク装置に関する。
【背景技術】
【０００２】
従来の磁気ディスク装置としては、情報漏洩を防止する機能を備えたものとして特許文献１に開示されたものがある。この磁気ディスク装置は、携帯電話と無線通信を行う機能を備え、携帯電話からの破壊指令信号に基づいて磁気ディスクを破壊するように構成されている。
【０００３】
具体的に磁気ディスク装置は、破壊指令信号を受信すると、磁気ディスクを極めて低い速度で回転させ、磁気ディスクとスライダとの間にできる限り空気流を生じさせない状態でスイングアームを揺動させる。これにより、スライダが磁気ディスクの表面に接触した状態で磁気ディスクが回転することとなり、スライダが動きながら接触することによって磁気ディスクの表面全体に傷が付くため、記録情報が読み出せないようになる。また他の構成としては、磁気ヘッド用とは別に破壊針を先端に有する破壊用アームを備え、この破壊用アームを破壊指令信号に応じて揺動させることで磁気ディスクの表面全体に破壊針を介して傷を付けるようにしたものも提案されている。
【０００４】
【特許文献１】特開２００７−２０７１００号公報
【発明の開示】
【発明が解決しようとする課題】
【０００５】
しかしながら、上記従来の磁気ディスク装置では、磁気ディスクを破壊するための仕組みが複雑であり、無線通信機能まで備えるために高価にならざるをえない面がある。
【０００６】
一方、旧来のように磁気ディスク装置の筐体を分解し、内部の磁気ディスクを取り出して破壊する方法もある。このような方法でも、一般的に磁気ディスク装置の筐体は、ヘクサロビュラー形式のネジを介して封止されているため、そのようなネジに対応した特殊なドライバを用いなければならず、わざわざ分解して破壊するのは面倒であるという難点があった。
【０００７】
本発明は、上記した事情のもとで考え出されたものであって、磁気ディスクを破壊するための仕組みが簡素であり、廉価な部品構成で容易に破壊することができる磁気ディスク装置を提供することをその課題としている。
【課題を解決するための手段】
【０００８】
上記課題を解決するため、本発明では、次の技術的手段を講じている。
【０００９】
本発明によれば、磁気ディスクと、上記磁気ディスクを回転させるスピンドルモータと、上記磁気ディスクに対して情報を読み書きするための磁気ヘッドと、上記磁気ヘッドが形成され、回転中の上記磁気ディスクの表面上に浮上するスライダと、上記スライダを支持し、上記磁気ディスクの表面上において揺動させられるスイングアームと、上記磁気ディスクの回転停止とともに上記スイングアームが上記磁気ディスクの外周側に揺動させられるのに伴い、上記スライダを上記磁気デュスクの表面上から退避させるランプと、上記ランプ上において退避した状態にある上記スライダを打撃するための打撃機構と、を備えている磁気ディスク装置が提供される。
【００１０】
本発明により開示された技術によれば、打撃機構によってスライダを強打した後、装置を作動させて磁気ディスクやスイングアームを動作させる。これにより、打撃機構の強打によって破壊されたスライダなどが磁気ディスクの表面に摺動接触し、その表面全体に傷がついて記録された情報が読み出せなくなる。このように機械的な打撃機構を組み込むだけでよいので、磁気ディスクを破壊するための仕組みが簡素であり、廉価な部品構成で容易に破壊することができる。
【００１１】
本発明のその他の特徴および利点は、添付図面を参照して以下に行う詳細な説明によって、より明らかとなろう。
【発明を実施するための最良の形態】
【００１２】
以下、本発明の好ましい実施の形態を、図面を参照して具体的に説明する。
【００１３】
図１〜４は、本発明に係る磁気ディスク装置の一実施形態を示している。図１に示すように、磁気ディスク装置Ａは、磁気ディスク１、スピンドルモータ２、スイングアーム３、ランプ４、および打撃機構５を備えている。
【００１４】
磁気ディスク１は、情報が読み書きされる記録媒体である。この磁気ディスク１は、たとえば磁気ディスク装置Ａに電源を投入すると、たとえば６０００ｒｐｍといった高速度でスピンドルモータ２により回転させられる。
【００１５】
スピンドルモータ２は、電源投入時に磁気ディスク１を回転させる一方、電源遮断時や待機時に磁気ディスク１の回転を停止させる。
【００１６】
スイングアーム３は、その先端にサスペンション３０を介してスライダ３１を支持し、このスライダ３１に形成された磁気ヘッド（図示略）を磁気ディスク１の表面上においてディスク径方向に往復させるように揺動するものである。このようなスイングアーム３は、図示しないボイスコイルモータによって駆動される。
【００１７】
サスペンション３０は、磁気ディスク１の厚み方向にスライダ３１を弾性的に支持する板バネである。図２に示すように、サスペンション３０には、スライダ３１よりも基端側で磁気ディスク１の表面に向けて突出するように突起部３０Ａが設けられている。この突起部３０Ａは、スライダ３１がサスペンション３０に支持された状態において、そのスライダ３１よりも磁気ディスク１との間隔が大きくなるように設定されており、その状態では磁気ディスク１の表面に突起部３０Ａが接触することはない。一方、サスペンション３０からスライダ３１が外れた状態では、磁気ディスク１の表面に対して突起部３０Ａが当接する部分となる。
【００１８】
スライダ３１は、通常の使用状態において磁気ディスク１が回転中、この磁気ディスク１の表面に沿って流れる空気流により狭小なエアギャップを介してその表面上に浮上するものである。このようなスライダ３１の端面に磁気ヘッドが形成されており、この磁気ヘッドを介して磁気ディスク１に対する情報の読み書きが行われる。
【００１９】
ランプ４は、磁気ディスク１の外周付近に設けられており、磁気ディスク１の回転停止時、磁気ディスク１の表面上からスライダ３１を退避させた状態とするものである。図２によく示すように磁気ディスク１の回転停止時には、スイングアーム３が磁気ディスク１の外周側へと揺動させられ、それに伴いサスペンション３０に形成されたタブ３０Ｂがランプ４の傾斜面４ａに引っ掛かる。さらにスイングアーム３が磁気ディスク１の外方へと揺動させられると、タブ３０Ｂがランプ４の傾斜面４ａに沿って上昇しながら保持面４ｂに達し、この保持面４ｂにおいてスライダ３１が磁気ディスク１の外方に退避した状態で保持される。図１に示すように、スライダ３１がランプ４上において退避した状態にあるとき、スイングアーム３の基端部３ａは、ロック機構６によってその動きが規制される。これにより、磁気ディスク装置Ａの全体に外部から衝撃などが与えられた場合でも、スイングアーム３が磁気ディスク１の方へと揺動することはなく、スライダ３１は、ランプ４上に退避した状態がそのまま維持される。電源が投入されて情報を読み書きする際には、ロック機構６によるスイングアーム３の基端部３ａを規制した状態が解除され、これにより、スイングアーム３が磁気ディスク１の方に揺動可能となる。
【００２０】
打撃機構５は、ランプ４上に退避した状態にあるスライダ３１を強打するためのものである。図２に示すように、打撃機構５は、スライダ３１に向けて射出される打撃部材５０、この打撃部材５０をスライダ３１に向けて弾性的に付勢する打撃用のバネ５１、打撃部材５０およびバネ５１を収容する筒部材５２、および通常の使用状態では打撃部材５０を係止し、図示しないドライブベイからの取り外し操作に応じて打撃部材５０との係止状態が解除される第１のストッパ機構５３、および人為的な選択操作に応じて打撃部材５０との係止状態が解除される第２のストッパ機構５４とを有している。
【００２１】
打撃部材５０には、第１および第２のストッパ機構５３，５４によって係止される凹状の係合部５０ａ，５０ｂが設けられている。通常の使用状態において筒部材５２に収容された打撃部材５０は、バネ５１の弾性力によってスライダ３１側に付勢されつつも、第１のストッパ機構５３により係合部５０ａを介して係止された状態にある。このとき同時に、打撃部材５０は、第２のストッパ機構５４により係合部５０ｂが係止されていない状態にある。そのため、打撃部材５０は、第１のストッパ機構５３との係止状態が解除されるだけでバネ５１の弾性力によって筒部材５２から勢いよく射出され、スライダ３１に対して強く当たる。一方、打撃部材５０は、第１のストッパ機構５３との係止状態が解除され、かつ、第２のストッパ機構５４により係止された状態をとることもある。このような場合、打撃部材５０は、筒部材５２に収容された状態が維持される。
【００２２】
バネ５１は、筒部材５２の内部において打撃部材５０により押圧されることで圧縮状態にある。打撃部材５０の係止状態が解除されると、バネ５１は、急激に伸長するのに伴い弾性力によって打撃部材５０を外方へと押し出す。
【００２３】
筒部材５２は、打撃部材５０をスライダ３１に向けて射出可能とするように開口部５２ａが設けられている。この筒部材５２には、内部の打撃部材５０に対して第１および第２のストッパ機構５３，５４による係止が可能となるように適当な孔（符号省略）が設けられている。
【００２４】
第１のストッパ機構５３は、磁気ディスク装置Ａの筐体Ａ１にあけられた孔を貫通して打撃部材５０の係合部５０ａに係合されるピン５３ａと、このピン５３ａを筐体Ａ１の外方へと弾性的に付勢するバネ５３ｂとを有する。たとえば装着箇所としてパーソナルコンピュータ本体のドライブベイや携帯機器の内部に磁気ディスク装置Ａが配置されている場合、その装着箇所の適部Ｂにピン５３ａが当接してバネ５３ｂが圧縮された状態にある。このとき、ピン５３ａは、打撃部材５０の係合部５０ａに係合された状態にある。一方、磁気ディスク装置Ａが装着箇所から取り外されると、適部Ｂに対するピン５３ａの当接状態が解除され、このピン５３ａがバネ５３ｂによって係合部５０ａから抜ける。これにより、打撃部材５０は、ピン５３ａとの係合状態が解除される。
【００２５】
第２のストッパ機構５４は、筐体Ａ１を貫通して設けられたキーシリンダ５４ａと、このキーシリンダ５４ａを介して打撃部材５０の係合部５０ｂに係合される係合部材５４ｂと、キーシリンダ５４ａに差し込んで用いられる付属のキー５４ｃ（図４参照）とを有する。たとえば使用者が所定の装着箇所から磁気ディスク装置Ａを取り外す場合、キー５４ｃをキーシリンダ５４ａに差し込んで回し、係合部材５４ｂを打撃部材５０の係合部５０ｂに係合させた状態とする。これにより、第１のストッパ機構５３による係止状態が解除されても打撃部材５０がスライダ３１に向けて射出されることはない。
【００２６】
次に、磁気ディスク装置Ａの動作について説明する。
【００２７】
図２に示すように、所定の装着箇所に磁気ディスク装置Ａが取り付けられた通常の使用状態にある場合、打撃部材５０は、第１のストッパ機構５３のみによって係止された状態にあり、筒部材５２の内部にそのまま収容されている。そのため、情報の読み書きに伴ってスイングアーム３０が揺動したり、あるいは磁気ディスク１の回転停止に伴ってランプ４上にスライダ３１が退避しても、磁気ディスク装置Ａの内部において何ら物理的な破損が生じることはない。
【００２８】
図３に示すように、たとえば第三者が勝手に装着箇所から磁気ディスク装置Ａを取り外した場合、第１のストッパ機構５３による係止状態が解除されることにより、打撃部材５０が筒部材５２から飛び出してスライダ３１を強打する。これにより、スライダ３１は、サスペンション３０から脱落し、あるいはサスペンション３０から外れなくても変形などによって破損した状態になる。
【００２９】
スライダ３１が脱落した状態の磁気ディスク装置Ａを別のパーソナルコンピュータなどに接続し、そのまま電源を投入して磁気ディスク１の情報を読み出そうとした場合、磁気ディスク１が回転するのに伴いスイングアーム３がシーク動作によって揺動し始め、サスペンション３０の突起部３０Ａが接触したまま磁気ディスク１が回転する。あるいは、スライダ３１が脱落せずに破損している状況でも、もはや破損したスライダ３１が空気流を整える作用をもたないため、このスライダ３１やサスペンション３０の一部が接触したまま磁気ディスク１が回転する。これにより、第三者が情報を読み出そうとする直前に必然的に磁気ディスク１の表面全体に傷が付き、物理的に情報を読み出すことができなくなる。
【００３０】
図４に示すように、たとえば使用者が装着箇所から磁気ディスク装置Ａを取り外して別のパーソナルコンピュータなどで用いる場合には、その取り外し前にキー５４ｃをキーシリンダ５４ａに差し込んで回すことにより、打撃部材５０を第２のストッパ機構５４によって係止した状態とする。その後、装着箇所から磁気ディスク装置Ａを取り外しても、第１のストッパ機構５３による係止状態が解除されるものの、第２のストッパ機構５４により係止されるため、打撃部材５０が筒部材５２から飛び出すことはない。これにより、使用者は、磁気ディスク装置Ａを物理的に破損した状態にすることなく装着箇所から容易に取り外すことができる。
【００３１】
したがって、本実施形態の磁気ディスク装置Ａによれば、磁気ディスク１に傷を付けるための仕組みが打撃機構５を付加しただけの簡素な構成からなり、廉価な部品構成で容易に磁気ディスク１を破壊することができる。仮に磁気ディスク装置Ａが盗難されたとしても、第三者がスライダ３１の脱落を知らずに電源を投入することになり、そうして電源を投入するだけで磁気ディスク１の表面全体に傷が付くため、磁気ディスク１からの情報漏洩を確実に防止することができる。
【００３２】
図５は、本発明に係る磁気ディスク装置の他の実施形態を示している。なお、先述した実施形態と同一または類似の構成要素については、同一符号を付してその説明を省略する。
【００３３】
図５に示す構成では、第１のストッパ機構が設けられていない一方、第２のストッパ機構５４が設けられている。第２のストッパ機構５４は、筐体Ａ１の適部に回転可能に支持された回転部材５４ｄと、これを強制的に押して回転させるためのピン５４ｅとを有して構成される。通常の使用状態においては、打撃部材５０の係合部５０ａに回転部材５４ｄが係合した状態にあり、この回転部材５４ｄは、筐体Ａ１の適部に形成されたストッパＡ２に規制されることで回転不可とされる。その一方、たとえば使用者が磁気ディスク装置Ａを廃棄処分などとする場合、その廃棄前に磁気ディスク１に記録された情報を読み出せなくするために、ピン５４ｅを介して回転部材５４ｄを所定の方向に回転させる。これにより、打撃部材５０は、ピン５４ｅとの係合状態が解除されてスライダ３１を強打する。このような構成によれば、使用者が磁気ディスク装置Ａを廃棄するにあたり物理的に磁気ディスク１の情報を読み出せないようにすることができ、情報漏洩に対して事前に対処することができる。
【００３４】
なお、本発明は、上記の実施形態に限定されるものではない。
【００３５】
上記実施形態で示した構成は、あくまでも一例にすぎず、仕様に応じて適宜設計変更することが可能である。
【００３６】
たとえば、第１および第２のストッパ機構は、必ずしも両方を兼備する必要はなく、いずれか一方のストッパ機構のみを備えるようにしてもよい。
【００３７】
図５に示す構成の変形例としては、所定の装着箇所から磁気ディスク装置が取り外されたとき、電気的あるいは機械的な機構によってピン５４ｅが回転部材５４ｄを押して回転させるような構成としてもよい。このような構成によれば、回転部材５４ｄおよびピン５４ｅを第１のストッパ機構として用いることができる。
【００３８】
磁気ディスク装置の構成としては、複数の磁気ディスクが所定の間隔をあけて重ねられた状態でスピンドルモータに支持され、磁気ディスクのそれぞれには、その表裏両面に対応するように複数のスイングアームやランプが設けられた構成もある。このような構成では、ランプごとに対応するように複数の打撃機構を設け、複数の打撃部材を互いに連結して連動させるようにしてもよい。
【図面の簡単な説明】
【００３９】
【図１】本発明に係る磁気ディスク装置の一実施形態を示す内部構造図である。
【図２】図１に示す磁気ディスク装置の要部断面図である。
【図３】図１に示す磁気ディスク装置の要部断面図である。
【図４】図１に示す磁気ディスク装置の要部断面図である。
【図５】本発明に係る磁気ディスク装置の他の実施形態を示す要部断面図である。
【符号の説明】
【００４０】
Ａ      磁気ディスク装置
１      磁気ディスク
２      スピンドルモータ
３      スイングアーム
３０    サスペンション
３０Ａ  突起部
３１    スライダ
４      ランプ
５      打撃機構
５０    打撃部材
５１    バネ（弾性部材）
５３    第１のストッパ機構
５４    第２のストッパ機構
【図１】
2010079967.tif 000003
【図２】
2010079967.tif 000004
【図３】
2010079967.tif 000005
【図４】
2010079967.tif 000006
【図５】
2010079967.tif 000007